(57)【要約】【課題】印刷に適した情報埋込を行う。【解決手段】印刷対象データに、印刷装置で印刷可能であり、かつ、前記印刷装置に応じて選択可能な第１埋込方式（Ｔ方式）で、認証データ（７８）を埋め込む。また、この印刷対象データに、前記印刷装置で印刷可能であり、かつ、前記印刷装置によらず固定された第２埋込方式（共通方式）で、前記第１埋込方式を特定するデータ（８０）を埋め込む。そして、埋め込みが行われた前記印刷対象データの印刷を行い、例えば、住民票７０を得る。【選択図】図４
2008083941.tif 000002
【特許請求の範囲】
【請求項１】
印刷対象データに、印刷装置で印刷可能であり、かつ、前記印刷装置に応じて選択可能な第１埋込方式で、ある情報を埋め込む第１埋込手段と、
前記印刷対象データに、前記印刷装置で印刷可能であり、かつ、前記印刷装置によらず固定された第２埋込方式で、前記第１埋込方式を特定する情報を埋め込む第２埋込手段と、
前記第１埋込手段及び前記第２埋込手段により埋め込みが行われた前記印刷対象データの印刷を、前記印刷装置に指示する指示手段と、
を備えることを特徴とする情報埋込装置。
【請求項２】
請求項１に記載の情報埋込装置において、
前記印刷装置で印刷可能な埋込方式についての情報を取得する取得手段を備え、
前記第１埋込方式は、前記取得手段が取得した情報に基づいて選択されることを特徴とする情報埋込装置。
【請求項３】
請求項１に記載の情報埋込装置において、
前記印刷装置は、登録された複数の印刷装置に含まれる装置であり、
前記第２埋込方式は、前記複数の印刷装置において印刷可能な方式であることを特徴とする情報埋込装置。
【請求項４】
請求項１に記載の情報埋込装置において、
前記第２埋込方式により印刷可能となる条件は、前記第１埋込方式より印刷可能となる条件に包含されることを特徴とする情報埋込装置。
【請求項５】
印刷対象データに、印刷装置で印刷可能であり、かつ、前記印刷装置に応じて選択可能な第１埋込方式で、ある情報を埋め込む第１埋込手段と、
前記印刷対象データに、前記印刷装置で印刷可能であり、かつ、前記印刷装置によらず固定された第２埋込方式で、前記第１埋込方式を特定する情報を埋め込む第２埋込手段と、
前記第１埋込手段及び前記第２埋込手段により埋め込みが行われた前記印刷対象データの印刷を、前記印刷装置に指示する指示手段、
としてコンピュータを機能させるための情報埋込プログラム。
【請求項６】
印刷処理を行って用紙に印刷を行う印刷装置と、
印刷対象データに、前記印刷装置で印刷可能であり、かつ、前記印刷装置に応じて選択可能な第１埋込方式で、ある情報を埋め込む第１埋込手段と、
前記印刷対象データに、前記印刷装置で印刷可能であり、かつ、前記印刷装置によらず固定された第２埋込方式で、前記第１埋込方式を特定する情報を埋め込む第２埋込手段と、
前記第１埋込手段及び前記第２埋込手段により埋め込みが行われた前記印刷対象データの印刷を、前記印刷装置に指示する指示手段と、
を備える情報埋込システム。
【請求項７】
第２埋込方式により埋め込まれた情報を読み取り可能に設定され、用紙の読み取りを行って画像データを生成する生成装置と、
前記画像データを解析して、前記第２埋込方式により埋め込まれた情報から、第１埋込方式を特定する情報を取得する取得手段と、
前記生成装置に対し、前記第１埋込方式により埋め込まれた情報を読み取り可能にする設定変更と、前記用紙の再読み取りによる新たな画像データの生成とを指示する指示手段と、
を備えることを特徴とする情報読取装置。
【請求項８】
請求項７に記載の情報読取装置において、
前記第２埋込方式により埋め込まれた情報には、前記第１埋込方式により埋め込まれた情報の解析先を表す情報が含まれ、
当該情報読取システムは、前記新たな画像データを前記解析先に送信する送信手段を備えることを特徴とする情報読取装置。
【請求項９】
第２埋込方式により埋め込まれた情報を読み取り可能に設定され、用紙の読み取りを行って画像データを生成する生成装置と、
前記画像データを解析して、前記第２埋込方式により埋め込まれた情報から、第１埋込方式を特定する情報を取得する取得手段と、
前記生成装置に対し、前記第１埋込方式により埋め込まれた情報を読み取り可能にする設定変更と、前記用紙の再読み取りによる新たな画像データの生成とを指示する指示手段、
としてコンピュータを機能させるための情報読取プログラム。
【請求項１０】
第２埋込方式により埋め込まれた情報を読み取り可能に設定され、用紙の読み取りを行って画像データを生成する生成装置と、
前記画像データを解析して、前記第２埋込方式により埋め込まれた情報から、第１埋込方式を特定する情報を取得する取得手段と、
前記生成装置に対し、前記第１埋込方式により埋め込まれた情報を読み取り可能にする設定変更と、前記用紙の再読み取りによる新たな画像データの生成とを指示する指示手段と、
前記新たな画像データを解析して、第１埋込方式により埋め込まれた情報を解析する解析手段と、
を備えることを特徴とする情報読取システム。
【発明の詳細な説明】
【技術分野】
【０００１】
本発明は、情報埋込装置、情報埋込プログラム、情報埋込システム、情報読取装置、情報読取プログラム、及び情報読取システムに関する。
【背景技術】
【０００２】
下記特許文献１には、電子データに対して、各機関独自の電子透かし方式により情報を埋め込むとともに、どの機関の方式による情報埋め込みがなされたかの情報を共通電子透かし方式により埋め込む技術が開示されている。解析時には、共通電子透かし方式による情報を読み取って、埋め込みを行った機関を特定する。そして、その機関に電子データを転送して、実際の解析を行わせる。
【０００３】
下記特許文献２，３には、電子データに、実電子透かし方式により情報を埋め込むとともに、メタ電子透かし方式により実電子透かしの種別情報を埋め込む技術が開示されている。
【０００４】
下記特許文献４には、配信先の違いに応じてデータ変換した配信データを配信する技術が開示されている。
【０００５】
【特許文献１】特開２０００−２８７０６７号公報
【特許文献２】特開２００２−１６７８１号公報
【特許文献３】特開２００２−３０５６４２号公報
【特許文献４】特開２００１−２４２７８６号公報
【発明の開示】
【発明が解決しようとする課題】
【０００６】
本発明は、このような背景技術の状況の中でなされたものであり、印刷装置または情報埋込方式の差異に起因した情報埋込の困難性を解消あるいは低減することが可能な情報埋込装置、情報埋込プログラム、情報埋込システム、情報読取装置、情報読取プログラム、または情報読取システムを提供することを目的とする。
【課題を解決するための手段】
【０００７】
本発明の情報埋込装置の一態様においては、印刷対象データに、印刷装置で印刷可能であり、かつ、前記印刷装置に応じて選択可能な第１埋込方式で、ある情報を埋め込む第１埋込手段と、前記印刷対象データに、前記印刷装置で印刷可能であり、かつ、前記印刷装置によらず固定された第２埋込方式で、前記第１埋込方式を特定する情報を埋め込む第２埋込手段と、前記第１埋込手段及び前記第２埋込手段により埋め込みが行われた前記印刷対象データの印刷を、前記印刷装置に指示する指示手段と、を備える。
【０００８】
本発明の情報埋込装置の一態様においては、前記印刷装置で印刷可能な埋込方式についての情報を取得する取得手段を備え、前記第１埋込方式は、前記取得手段が取得した情報に基づいて選択される。
【０００９】
本発明の情報埋込装置の一態様においては、前記印刷装置は、登録された複数の印刷装置に含まれる装置であり、前記第２埋込方式は、前記複数の印刷装置において印刷可能な方式である。
【００１０】
本発明の情報埋込装置の一態様においては、前記第２埋込方式により印刷可能となる条件は、前記第１埋込方式より印刷可能となる条件に包含される。
【００１１】
本発明の情報埋込プログラムの一態様においては、印刷対象データに、印刷装置で印刷可能であり、かつ、前記印刷装置に応じて選択可能な第１埋込方式で、ある情報を埋め込む第１埋込手段と、前記印刷対象データに、前記印刷装置で印刷可能であり、かつ、前記印刷装置によらず固定された第２埋込方式で、前記第１埋込方式を特定する情報を埋め込む第２埋込手段と、前記第１埋込手段及び前記第２埋込手段により埋め込みが行われた前記印刷対象データの印刷を、前記印刷装置に指示する指示手段、としてコンピュータを機能させる。
【００１２】
本発明の情報埋込システムの一態様においては、印刷処理を行って用紙に印刷を行う印刷装置と、印刷対象データに、前記印刷装置で印刷可能であり、かつ、前記印刷装置に応じて選択可能な第１埋込方式で、ある情報を埋め込む第１埋込手段と、前記印刷対象データに、前記印刷装置で印刷可能であり、かつ、前記印刷装置によらず固定された第２埋込方式で、前記第１埋込方式を特定する情報を埋め込む第２埋込手段と、前記第１埋込手段及び前記第２埋込手段により埋め込みが行われた前記印刷対象データの印刷を、前記印刷装置に指示する指示手段と、を備える。
【００１３】
本発明の情報読取装置の一態様においては、第２埋込方式により埋め込まれた情報を読み取り可能に設定され、用紙の読み取りを行って画像データを生成する生成装置と、前記画像データを解析して、前記第２埋込方式により埋め込まれた情報から、第１埋込方式を特定する情報を取得する取得手段と、前記生成装置に対し、前記第１埋込方式により埋め込まれた情報を読み取り可能にする設定変更と、前記用紙の再読み取りによる新たな画像データの生成とを指示する指示手段と、を備える。
【００１４】
本発明の情報読取装置の一態様においては、前記第２埋込方式により埋め込まれた情報には、前記第１埋込方式により埋め込まれた情報の解析先を表す情報が含まれ、当該情報読取システムは、前記新たな画像データを前記解析先に送信する送信手段を備える。
【００１５】
本発明の情報読取プログラムの一態様においては、第２埋込方式により埋め込まれた情報を読み取り可能に設定され、用紙の読み取りを行って画像データを生成する生成装置と、前記画像データを解析して、前記第２埋込方式により埋め込まれた情報から、第１埋込方式を特定する情報を取得する取得手段と、前記生成装置に対し、前記第１埋込方式により埋め込まれた情報を読み取り可能にする設定変更と、前記用紙の再読み取りによる新たな画像データの生成とを指示する指示手段、としてコンピュータを機能させる。
【００１６】
本発明の情報読取システムの一態様においては、第２埋込方式により埋め込まれた情報を読み取り可能に設定され、用紙の読み取りを行って画像データを生成する生成装置と、前記画像データを解析して、前記第２埋込方式により埋め込まれた情報から、第１埋込方式を特定する情報を取得する取得手段と、前記生成装置に対し、前記第１埋込方式により埋め込まれた情報を読み取り可能にする設定変更と、前記用紙の再読み取りによる新たな画像データの生成とを指示する指示手段と、前記新たな画像データを解析して、第１埋込方式により埋め込まれた情報を解析する解析手段と、を備える。
【発明の効果】
【００１７】
請求項１に記載の本発明によれば、印刷装置または情報埋込方式の差異に起因した情報埋込の困難性が解消あるいは低減される。
【００１８】
請求項２に記載の本発明によれば、印刷装置に応じた第１埋込方式の選択が容易化される。
【００１９】
請求項３に記載の本発明によれば、印刷装置毎に印刷可能な第１埋込方式が異なる場合にも、第２埋込方式によってその差異を吸収することができる。
【００２０】
請求項４に記載の本発明によれば、いずれかの第１埋込方式で印刷可能な印刷装置であれば、必ず第２埋込方式による印刷が可能となる。
【００２１】
請求項５に記載の本発明によれば、印刷装置や情報埋込方式の差異に起因した情報埋込の困難性を低減する制御が可能となる。
【００２２】
請求項６に記載の本発明によれば、印刷装置や情報埋込方式の差異に起因した情報埋込の困難性を低減して、印刷を行うことが可能となる。
【００２３】
請求項７に記載の本発明によれば、第１方式埋込方式により埋め込まれた情報の読み落としを防止できる。
【００２４】
請求項８に記載の本発明によれば、当該情報読取装置において解析困難な情報解析を解析先に委ねることが可能となる。
【００２５】
請求項９に記載の本発明によれば、第１方式埋込方式により埋め込まれた情報の読み落としを防止する制御が可能となる。
【００２６】
請求項１０に記載の本発明によれば、第１方式埋込方式により埋め込まれた情報を読み落とすことなく解析することができる。
【発明を実施するための最良の形態】
【００２７】
以下に本発明の実施の形態を例示する。
【００２８】
ここでは、まず、発行主体である官公庁から離れた遠隔地において、住民票や納税証明書等の交付文書の交付（発行）を受けるシステムを例に挙げる。このようなシステムでは、プリンタから発行される交付文書の原本性を確保するために、印刷が行われる紙文書に対して、種々の情報埋め込みを行うことがある。そして、交付文書の原本性の確認が、紙文書をスキャンし、紙文書に埋め込まれた情報を解析することで行われる。
【００２９】
図１は、本実施の形態にかかるシステムの概略的な構成を示すブロック図である。このシステムでは、文書の交付等を行う文書交付サーバシステム１０と、文書の交付等を受けるクライアント側の装置群とが、インターネット４０を通じて接続されている。
【００３０】
文書交付サーバシステム１０は、イントラネット１２に接続された申請受付装置１４、交付装置１６、解析装置２４、及び原本保持装置３４を備えている。各装置はコンピュータ（ハードウエア）に対し、その動作を制御するプログラムをインストールすることで構築することができる。これにより、コンピュータ上には、各種の処理機能が構築されることになる。なお、図１においては、文書交付サーバシステム１０を、通信可能な複数のコンピュータを用いた分散システムとして構築する例を示したが、システム構成は様々に変更することが可能である。具体例としては、単一のコンピュータを用いた集中処理システムとして構築する態様を挙げることができる。
【００３１】
クライアント側の装置群としては、申請端末装置５０、交付端末装置５２、交付プリンタ５４、解析端末装置５６、及び解析スキャナ５８が図示されている。申請端末装置５０、交付端末装置５２、及び解析端末装置５６は、文書交付サーバシステム１０の場合と同様に、コンピュータに対し、プログラムをインストールすることで構築されている。もちろん、コンピュータの構成は様々に設定することが可能であり、例えば、各装置５０，５２，５６を単一のコンピュータ上に構築することもできる。
【００３２】
他方、交付プリンタ５４と解析スキャナ５８は、それぞれ、プリンタ（印刷機能を備えたコンピュータ）及びスキャナ（読取機能を備えたコンピュータ）を用いて構築される。単一のプリンタやスキャナを用いる代わりに、同一の筐体内にプリンタやスキャナを格納した画像処理装置（しばしばコピー機や複合機などとよばれる）を用いることも可能である。この場合には、交付プリンタ５４と解析スキャナ５８を同じ画像処理装置を用いて構築することもできる。
【００３３】
図１には、さらに、解析装置２４とは別の解析装置６０が、インターネット４０を通じて接続されている。解析装置６０は、解析装置２４が実施できない解析を行う装置であり、同様にコンピュータにプログラムをインストールすることで構築可能である。
【００３４】
ここで、図２を用いて、コンピュータの構成について簡単に説明する。図示したコンピュータ１００には、コンピュータ内通信路としてのバス１０２と、バス１０２に接続されたＣＰＵ（中央処理装置）１０４、メモリ１０６、ユーザ入力装置１０８、ディスプレイ１１０、プリンタ１１２、スキャナ１１４、ネットワークインタフェース１１６、及びＣＤドライブ１１８が設けられている。
【００３５】
ＣＰＵ１０４は、プログラムに従ってデータを処理する装置であり、プログラムが命じる各種の演算処理や画像処理を行ったり、各構成要素の制御を行ったりする。メモリ１０６は、半導体メモリや磁気ディスクなどからなる記憶装置であり、プログラムやデータなどを記憶する。ユーザ入力装置１０８は、ユーザが入力を行うための装置であり、具体的にはキーボードやタッチパネルなどからなる。ディスプレイ１１０は、画像データを表示する装置である。プリンタ１１２は、画像データに基づいて用紙に印刷を行う装置である。スキャナ１１４は、用紙を読み取って画像データを生成する装置である。ネットワークインタフェース１１６は、外部のネットワーク１２０との間でデータの送受信を行うための装置である。そしてＣＤドライブ１１８は、記憶媒体としてのＣＤ（コンパクトディスク）に対する読み書きを行う装置である。
【００３６】
プリンタ１１２とスキャナ１１４は画像処理に特化した画像処理装置において設けられることが多く、ＰＣ（パーソナルコンピュータ）のような汎用的なコンピュータでは、オプション的に外付けされることが一般的である。また、ユーザ入力装置１０８、ディスプレイ１１０、ネットワークインタフェース１１６、ＣＤドライブ１１８のうちの一つ以上の構成要素が設けられないコンピュータも多い。
【００３７】
ＣＰＵ１０４を制御するプログラムは、コンピュータの製造段階でメモリ１０６にインストールされてもよい。また、製造後に、ネットワークインタフェース１１６を通じてネットワークから、あるいは、ＣＤドライブ１１８にセットされたＣＤからインストールされてもよい。
【００３８】
再び図１に戻って、各装置の機能構成について説明する。
【００３９】
申請受付装置１４は、申請端末装置５０から交付文書名や申請者名などの申請データを受信して、交付申請を受け付ける装置である。申請受付装置１４では、受付番号を生成し、申請データと関連づけて記憶するとともに、この受付番号を申請端末装置５０に送信する。
【００４０】
交付装置１６は、交付端末装置５２からの要求に応じて、交付文書の交付（発行）を行う装置である。交付装置１６には、このための構成要素として、交付文書取得部１８、個別情報埋込部２０、及び共通情報埋込部２２が構築されている。交付端末装置５２から受付番号が入力されると、交付文書取得部１８では、申請受付装置１４から受付番号と対応づけて保存された申請データを取得し、さらに、原本保持装置３４から対応する原本データを検索して取得する。この原本データは、交付文書を表現した電子データである。
【００４１】
交付装置１６には、交付端末装置５２から、交付プリンタ５４を特定する情報としてＩＰ（インターネットプロトコル）アドレスも入力される。そして、個別情報埋込部２０では、この交付プリンタ５４で印刷可能な個別情報埋込方式を選択し、選択した個別情報埋込方式で認証データを原本データのコピーデータに埋め込む。この選択を可能にするため、個別情報埋込部２０には、交付プリンタとその印刷可能な個別情報埋込方式とが対応づけて登録されたテーブルが用意されている。個別情報埋込部２０では、このテーブルから交付プリンタ５４を検索し、採用する個別情報埋込方式を決定する。候補となる個別情報埋込方式が複数ある場合には、あらかじめ設定された優先順位や、ユーザ指示にしたがって採用する個別情報埋込方式を決定すればよい。また、複数の個別情報埋込方式を採用するようにしてもよい。
【００４２】
なお、認証データとは、交付文書の真贋の判定に使われるデータをいう。認証データは、原本保持装置３４に原本データと関連づけて記憶される。また、印刷可能とは、交付プリンタ５４のハードウエアの能力、及び、インストールされているソフトウエアの能力をもってすれば、要求された精度で埋め込まれたデータを印刷できることをいう。例えば、モノクロ印刷用のプリンタには、カラー印刷されるべき認証データの印刷は不可能である。しかし、通常の印刷設定では印刷できなくても、印刷時に設定変更することで印刷を実施できるならば、印刷可能ということができる。具体例としては、標準的に解像度が低く設定されているプリンタに対し設定変更を行って、高解像度の認証データの印刷を行わせる態様が挙げられる。
【００４３】
共通情報埋込部２２は、交付プリンタ５４で印刷可能な如何なる個別情報埋込方式で認証データを埋め込んだかというデータを、共通情報埋込方式で原本データのコピーデータに埋め込む。埋め込まれるデータには、個別情報埋込方式の名称だけでなく、個別情報埋込方式のバージョン情報、埋込日、埋込装置名、埋込パラメータ（埋込位置、サイズ、解像度等に任意性がある場合にそれを限定する情報）などの情報が含まれていてもよい。共通情報埋込方式は、選択された個別情報埋込方式に依存することなく用いられる固定的な方式である。共通情報埋込方式では、典型的には、埋込位置、大きさ、埋込アルゴリズムなどの設定が固定されるが、こうした設定は、用紙の大きさや向きなどによって若干修正されてもよい。ただし、共通情報埋込方式の可読性を低下させないように、設定の修正は、埋め込まれたデータを同じプログラムで解析できる範囲で行われることが望ましい。
【００４４】
なお、ここでいう情報埋込方式とは、なんらかのデータを、印刷対象の電子データに埋め込む方式をいう。いわゆる電子透かしも、情報埋込方式に含まれる。情報埋込方式は、例えば文字列のように人間に可読なパターンデータを埋め込む方式でも、バーコードやＱＲコードのように記号化されたパターンデータを埋め込む方式でもよい。ただし、秘密にされるべきデータを埋め込む場合には非可読である方がよい。暗号アルゴリズムなどを用いて、埋め込むデータを改竄困難に生成することも有効である。また、情報埋込方式は、バーコードやＱＲコードのように、肉眼で印刷結果を見たときに埋め込みが行われたことがわかるように可視的に行う方式でもよいし、非可視的に行う方式でもよい。さらに、情報埋込方式には、埋め込まれたデータに意味づけが与えられないアナログ方式（したがって、単にデータの一致の度合いを比較することになる）と、埋め込まれたデータに意味づけが与えられるデジタル方式とがある。個別情報埋込方式を特定する情報を埋め込むためには、共通情報埋込方式としてデジタル方式を採用すればよい。
【００４５】
解析装置２４は、紙文書として発行された交付文書の真贋を、解析端末装置５６からの要求に応じて判定を行う装置である。解析装置２４には、このための構成要素として、共通解析部２６、スキャナ設定部２８、個別解析部３０、及び照合部３２が設けられている。共通解析部２６は、解析端末装置５６から入力されたスキャン画像データ（スキャンにより生成された画像データ）に対し、共通情報埋込方式で埋め込まれたデータの解析を行い、どの個別情報埋込方式が用いられているかというデータを取得する。スキャナ設定部２８は、この個別情報埋込方式で埋め込まれたデータを解析できるように、解析スキャナ５８のパラメータ設定を変更させ、再度スキャン画像データを生成させる処理を行う。設定変更されるパラメータの例としては、スキャン画像データの解像度、スキャン画像データの不可逆圧縮率、スキャン領域などを挙げることができる。
【００４６】
個別解析部３０は、再度生成されたスキャン画像データから、個別情報埋込方式で埋め込まれた認証データを抽出する。そして、照合部３２は、原本保持装置３４から対比すべきデータを取得して照合を行い、真贋の判定を下す。判定結果は、解析端末装置５６に送信され表示される。
【００４７】
なお、個別解析部３０で解析できない個別情報埋込方式があることも考えられる。この対策として、個別情報埋込方式の解析先や問合先を特定するデータを共通情報埋込方式で埋め込むことも有効である。この場合、解析装置２４では、個別情報埋込方式の解析ができなければ、共通解析部２６が読み取ったデータに基づいて、例えば解析装置６０へ解析を依頼したり問い合わせたりする。
【００４８】
原本保持装置３４は、交付文書の原本たる原本データや、発行した交付文書に埋め込まれた認証データを記憶する装置である。そして、交付装置１６や解析装置２４に対し、要求された原本のデータや認証データを提供する。
【００４９】
申請端末装置５０は、申請者の自宅や、公共の施設等に置かれる装置である。申請者は、申請端末装置５０に表示されるＵＩ（ユーザインターフェース）を操作して、申請受付装置１４にログインする。そして、交付文書の交付を申請し、申請受付装置１４から受付番号を取得する。
【００５０】
交付端末装置５２、及び、これと接続された交付プリンタ５４は、申請者（交付要求者とも呼べる）が実際に交付文書の交付を受けるための装置である。交付要求者は、交付端末装置５２に表示されたＵＩにログインして、受付番号等を入力する。そして、交付端末装置５２では、交付装置１６に対し、入力された受付番号と、交付プリンタ５４のＩＰアドレスを送信する。その後、交付端末装置５２は、交付文書を表現した印刷用データを受信し、交付プリンタ５４に印刷させる。
【００５１】
解析端末装置５６、及び、これと接続された解析スキャナ５８は、交付され印刷された文書の真贋の解析を要求するための装置である。解析要求者は、印刷された文書の読み取りを解析スキャナ５８に行わせ、スキャン画像データを生成させる。そして、解析端末装置５６は、解析装置２４に対しスキャン画像データを送信するとともに、解析結果を取得して、ＵＩ上に表示する。なお、解析装置２４は、解析端末装置５６を通じて、解析スキャナ５８に対し、スキャンパラメータの設定や再読取などを要求することもある。
【００５２】
続いて、図１に示したシステムの動作について説明する。
【００５３】
申請者は、申請端末装置５０のＵＩを操作して、申請受付装置１４に対し、申請者名や交付文書名などを入力する。申請受付装置１４では、申請データを受け付けると、受付番号を生成し、申請端末装置５０に送信する。また、申請受付装置１４は、受付番号と申請データとを関連づけて記憶する。
【００５４】
交付要求者は、交付端末装置５２のＵＩを操作して、交付装置１６に受付番号を送信する。交付装置１６では、受付番号に対応する申請データを申請受付装置１４から取得し、申請データを解析して、原本保持装置３４から原本データをコピーしたデータを取得する。個別情報埋込部２０では、取得した原本データのコピーデータに対し、交付プリンタ５４で印刷可能な個別情報埋込方式で認証データを埋め込む。また、共通情報埋込部２２では、個別情報埋込方式を特定するデータを、共通情報埋込方式で原本データのコピーデータに埋め込み、印刷用データを完成させる。なお、個別情報埋込部２０によるデータの埋め込みと、共通情報埋込部２２によるデータの埋め込はどちらが先であってもよい。また、まず、両埋込部２０，２２が埋め込むべきデータを合成して、原本データのコピーデータに同時に埋め込むようにしてもよい。
【００５５】
交付端末装置５２では、埋込が完了した印刷用データを受信して、交付プリンタ５４に印刷させる。印刷の際には、交付プリンタ５４では、共通情報埋込方式による埋込データの印刷が可能となり、かつ、個別情報埋込方式による埋込データの印刷が可能となるように、必要に応じて、印刷モードの設定（用紙選択、印刷サイズ、印刷方向、カラー・モノクロ切り換えなどの印刷パラメータの設定）の変更が行われる。
【００５６】
解析要求者は、紙文書として発行された交付文書を解析スキャナ５８に読み取らせる。そして、生成されたスキャン画像データは、解析装置２４によって、解析装置２４に送信される。解析装置２４では、共通解析部２６が、共通情報埋込方式のデコードプログラムを起動して、埋め込まれている個別情報埋込方式を特定するデータを取得する。スキャナ設定部２８では、個別情報埋込方式の解析のために再度スキャン画像データを生成させる必要がある場合には、解析端末装置５６を通じて、解析スキャナ５８に対し読取設定の変更と再読取を指示する。個別解析部３０は、個別情報埋込方式のデコードプログラムを起動して、スキャン画像データに埋め込まれている認証データを取得する。そして、照合部３２は、抽出された認証データを、原本保持装置３４に格納されている認証データと比較して、スキャン画像データ（さらには交付文書）の真贋を判定する。判定結果は、解析端末装置５６のＵＩ上に表示される。
【００５７】
続いて、図３乃至図５を用いて、具体例の説明を行う。
【００５８】
図３は、個別情報埋込部２０が、埋込に用いる個別情報埋込方式を選択するためのテーブルの例を示している。このテーブルには、複数の交付プリンタが登録されており、ＩＰアドレス、メーカ名・機種名、及び印刷可能な個別情報埋込方式の各欄に値が代入されている。
【００５９】
例えば、ＩＰアドレスが「ＸＸＸＸＸ」である交付プリンタは、「Ａ社」製の「３００タイプ」という機種であり、「デジタルＶ方式」という個別情報埋込方式をサポートしている（印刷可能である）。同様に、ＩＰアドレスが「ＹＹＹＹＹ」である「Ａ社」製の「５００タイプ」は、「アナログＳ方式」と「デジタルＴ方式」をサポートしており、ＩＰアドレスが「ＺＺＺＺＺ」である「Ｂ社」製の「ｂｂタイプ」は、「デジタルＵ方式」をサポートしている。
【００６０】
この例のように、一般に、プリンタのメーカや機種によって、印刷可能な個別情報埋込方式は異なり、複数のメーカや機種が混在する場合には、統一的な情報埋込方式を採用できないことがある。そこで、これらのプリンタが交付プリンタとして登録されたシステムでは、印刷先となる交付プリンタが決定すると、図３のテーブルを参照して個別情報埋込方式を選択する。選択の候補が多数ある場合には、交付プリンタがサポートする個別情報埋込方式のうち、アナログ方式よりもデジタル方式を優先して採用するとの選択条件に基づいて、絞り込みを行っている。したがって、図３に示した「Ａ社」の「５００タイプ」が印刷先となった場合には、「デジタルＴ方式」が個別情報埋込方式として選択され、「Ｂ社」の「ｂｂタイプ」が印刷先となった場合には、「デジタルＵ方式」が個別情報埋込方式として選択される。
【００６１】
図４は、図３における「Ａ社」の「５００タイプ」が交付プリンタとして選ばれたときに交付される住民票７０を示す模式図である。住民票７０は、「住民票」と書かれた表題７２と、氏名や住所等が記載された欄７４と、首長の公印７６とを含んでいる。そして、この住民票７０には、デジタルＴ方式によるＴ方式埋込データ７８が公印７６に重ねて非可視的に埋め込まれている。Ｔ方式埋込データ７８には、照合に用いられる認証データがコード化されて含まれている。また、住民票７０の左下付近には、共通方式埋込データ８０が埋め込まれている。共通方式埋込データ８０は、比較的粗い黒色のパターンとして印刷されている。共通方式埋込データ８０には、住民票７０にＴ方式埋込データ７８が埋め込まれている旨のデータが包含されている。さらに、共通方式埋込データ８０には、Ｔ方式埋込データ７８を読み取るためにスキャナに設定すべきスキャンパラメータ（解像度、スキャン範囲、生成したスキャン画像データの圧縮率など）のデータ等が含まれていてもよい。
【００６２】
住民票７０が、解析スキャナ５８から読み込まれる際には、解析スキャナ５８は、少なくとも共通方式埋込データ８０を読み取ることができるように設定がされている。つまり、解析スキャナ５８は、少なくとも、住民票７０の左下及び右上（用紙が回転して設定されている可能性がある）を含み、かつ共通方式埋込データ８０のパターンよりも細かい解像度からなるスキャン画像データを生成する。そして、共通解析部２６では、スキャン画像データに含まれる共通方式埋込データ８０を解析し、住民票７０にＴ方式埋込データ７８が埋め込まれていることを把握する。続いて、スキャナ設定部２８が、解析スキャナ５８に対し、スキャンパラメータを変更させ、少なくとも住民票７０の右下及び左上を含み、かつＴ方式埋込データ７８のパターンよりも細かい解像度からなるスキャン画像データを再生成させる。個別解析部３０は、このスキャン画像データを解析し、Ｔ方式埋込データ７８を抽出する。
【００６３】
図５は、図３における「Ｂ社」の「ｂｂタイプ」が交付プリンタとして選ばれたときに交付される住民票９０を示す模式図である。住民票９０は、図４の住民票７０と同様に、表題７２、欄７４、公印７６、及び共通方式埋込データ８０を含んでいる。ただし、共通方式埋込データ８０には、この住民票９０にＵ方式埋込データ９２が埋め込まれている旨を示すデータや、Ｕ方式埋込データ９２を読み取るために設定すべきスキャンパラメータのデータが含まれている。Ｕ方式埋込データ９２は、住民票９０の全面に渡って埋め込まれている。そこで、スキャン範囲を全面とする旨のスキャンパラメータが設定されることとなる。
【００６４】
以上の説明では、公的機関が交付文書を発行するシステムを例示した。しかし、この技術は、商業的あるいは非商業的な様々なＡＳＰ（アプリケーションサービスプロバイダ）にも適用可能である。また、ＰＣ（パーソナルコンピュータ）や画像処理装置を利用して行う個人的な印刷処理過程にも適用することができる。印刷対象となるデータも様々に設定可能であり、文字を含む書類であってもよいし、図画あるいは画像であってもよい。
【００６５】
個別情報埋込方式で埋め込むデータも、認証データに限定されることはない。例えば、印刷対象となるデータの属性を単に説明する属性データであってもよいし、印刷された紙文書の受取手に対する通信文（メッセージ）であってもよい。
【００６６】
また、以上の説明では、図３に示したようなテーブルを用いて、印刷先となるプリンタ、及び、印刷可能な個別情報埋込方式をあらかじめ登録した。しかし、印刷先となるプリンタを登録しなくても、例えば、そのプリンタ（あるいはプリンタの管理装置）に問い合わせて、印刷可能となる個別情報埋込方式の情報を得るようにしてもよい。
【図面の簡単な説明】
【００６７】
【図１】本実施の形態に係るシステムの構成例を示すブロック図である。
【図２】本実施の形態に係るコンピュータの構成例を示す図である。
【図３】本実施の形態に係る交付プリンタと埋込方式の対応を登録したテーブルの例である。
【図４】本実施の形態に係るある埋込方式を採用して発行された住民票の例である。
【図５】本実施の形態に係る別の埋込方式を採用して発行された住民票の例である。
【符号の説明】
【００６８】
１０  文書交付サーバシステム、１２  イントラネット、１４  申請受付装置、１６  交付装置、１８  交付文書取得部、２０  個別情報埋込部、２２  共通情報埋込部、２４  解析装置、２６  共通解析部、２８  スキャナ設定部、３０  個別解析部、３２  照合部、３４  原本保持装置、４０  インターネット、５０  申請端末装置、５２  交付端末装置、５４  交付プリンタ、５６  解析端末装置、５８  解析スキャナ、６０  解析装置、７０，９０  住民票、７２  表題、７４  欄、７６  公印、７８  Ｔ方式埋込データ、８０  共通方式埋込データ、９２  Ｕ方式埋込データ。
【図１】
2008083941.tif 000003
【図２】
2008083941.tif 000004
【図３】
2008083941.tif 000005
【図４】
2008083941.tif 000006
【図５】
2008083941.tif 000007